(57)【要約】  【課題】  水中での使用も考慮した、腰や下半身のストレッチングを行うための健康座具を提供することを目的とする。  【解決手段】  本実施の形態に係る健康座具１０は、シート１２と、ベース１４と、連結部材１６と、内側レール１８と、外側レール２０とから構成される。シート１２の裏側には、リブ１２ｈが格子状に形成され、リブ１２ｈと座面１２ａとによって仕切られた空間を互いに連通するための連通孔１２ｉが形成されている。シート１２の座面１２ａと短辺側の周壁１２ｂの接続部分には、座面１２ａ及び周壁１２ｂの外側の空間と内側の空間とを連通するための角孔１２ｍが形成されている。リブ１２ｈによって仕切られている各空間内の空気や水は、連通孔１２ｉを通って、隣接する空間に移動可能である。移動された空気や水は、角孔１２ｍを介して、健康座具１０外部の空間との間で相互に移動可能である。【選択図】  図３
2006218176.tif 000002
【特許請求の範囲】
【請求項１】
ベースと、前記ベースに対して回動可能に保持されると共に使用者が着座するための座面が設けられているシートと、を備えた健康座具であって、
前記ベース及び前記シートには、この健康座具が水中に沈められた際に、内部の空気を外部へ抜くための空気孔が形成されていることを特徴とする健康座具。
【請求項２】
前記健康座具の全体としての比重が水の比重とほぼ同じになるように、前記ベース及びシートの材料が選択されていることを特徴とする請求項１記載の健康座具。
【請求項３】
前記健康座具の全体としての比重が、０．９より大きく１．１より小さいことを特徴とする請求項２記載の健康座具。
【請求項４】
前記ベース及びシートの材料がポリプロピレン又は高密度ポリエチレンであることを特徴とする請求項３記載の健康座具。
【請求項５】
前記シートの裏面は、前記シート内に溜まる空気を所定の場所に導くように傾斜して形成されていると共に、前記シートの内側と外側とを連通する空気孔が前記所定の場所に形成されていることを特徴とする請求項１乃至４の何れか１項に記載の健康座具。
【請求項６】
前記シートは、剛性を高めるために形成されたリブをその裏面に有し、前記リブには、前記所定の場所に空気を導くために、前記リブによって仕切られた隣接する空間を互いに連通する連通孔が形成されていることを特徴とする請求項５記載の健康座具。
【請求項７】
前記ベースの裏面は、円弧状に形成され、前記健康座具が設置された面に対して前記健康座具全体が揺動可能に構成されていることを特徴とする請求項１乃至６の何れか１項に記載の健康座具。
【発明の詳細な説明】
【技術分野】
【０００１】
本発明は、腰や下半身のストレッチングを行うための健康座具に関する。
【背景技術】
【０００２】
近年の健康ブームにのって、家庭で手頃に運動を行うための健康器具が数多く販売されている。例えば、使用者がその上に座った姿勢から、腰のストレッチングを行うための健康座具が提供されている。このような健康座具を使用して、使用者が繰り返し腰をひねる等して身体を動かすことで、筋肉や関節を伸ばし、腰痛の予防や疲労の回復を促進させることができる。
【０００３】
下記特許文献１には、身体を８字状に揺動させるため、前後左右の全方位に傾くように構成された座板を有する健康座具が開示されている。特許文献１に記載の健康座具を使用する使用者は、まず、この健康座具を椅子の座部上面に設置し、その健康座具の座板に座る。次に、へその下約2cmの位置を中心にして、上半身を８字状に繰り返し揺動させ、ストレッチングを行う。これにより、身体の筋肉に対する片寄った負担を和らげることができる。また、肩こりや腰痛、内蔵障害等の病気を引き起こしにくいように身体を整え、健康の促進を促すことができる。
【特許文献１】特許第３１２２９３９号公報
【０００４】
また、下記特許文献２には、腰を捻転してストレッチを行うための健康座具が開示されている。この健康座具の使用者は、座席に着座後、両腕を座席背面側に設けられた上体支持部に引っ掛けて固定する。次に、この状態で、体を上体支持部と共に左右に回動することにより、使用者は、下半身を固定した状態で、腰を捻転したストレッチを行うことができる。
【特許文献２】特開平１１−２０６９１５号公報
【発明の開示】
【発明が解決しようとする課題】
【０００５】
近年、入浴時間を利用して、浴槽につかりながら行う様々な健康のための運動やストレッチング等も紹介されている。入浴中であれば、血行や代謝が促進され、発汗による体内毒素の排出等の効果を併せて得ることができる。
【０００６】
ところで、入浴中の運動やストレッチングにおいて器具を用いる場合には、水中で用いることを考慮された器具でなければ、防水性でないため器具が故障したり、滑るなどして使いづらかったり、最悪の場合、使用者がケガをしてしまう等のおそれがある。
【０００７】
しかし、上記特許文献１及び２に開示された腰のストレッチングを行うための健康座具も、浴室内での使用を考慮して作製されたものではなく、従来、浴槽内での使用等、水中での使用を考慮した健康座具は提供されていなかった。このため、入浴時間を利用して、例えば半身浴をしながら浴槽内で腰のストレッチングを行おうとしても、水中での使用を考慮した健康座具が提供されておらず、実現することができなかった。
【０００８】
本発明は、このような課題を解決するためになされたものであり、水中での使用も考慮した、腰や下半身のストレッチングを行うための健康座具を提供することを目的とする。
【課題を解決するための手段】
【０００９】
上記課題を解決するために、本発明に係る健康座具は、ベースと、前記ベースに対して回動可能に保持されると共に使用者が着座するための座面が設けられているシートと、を備えた健康座具であって、前記ベース及び前記シートには、この健康座具が水中に沈められた際に、内部の空気を外部へ抜くための空気孔が形成されていることを特徴とする。
【００１０】
さらに、本発明に係る健康座具は、前記健康座具の全体としての比重が水の比重とほぼ同じになるように、前記ベース及びシートの材料が選択されていることを特徴とする。さらに、本発明に係る健康座具は、前記健康座具の全体としての比重が、０．９より大きく１．１より小さいことを特徴とする。さらに、本発明に係る健康座具は、前記ベース及びシートの材料がポリプロピレン又は高密度ポリエチレンであることを特徴とする。
【００１１】
さらに、本発明に係る健康座具は、前記シートの裏面が、前記シート内に溜まる空気を所定の場所に導くように傾斜して形成されていると共に、前記シートの内側と外側とを連通する空気孔が前記所定の場所に形成されていることを特徴とする。
【００１２】
さらに、本発明に係る健康座具は、前記シートが、剛性を高めるために形成されたリブをその裏面に有し、前記リブには、前記所定の場所に空気を導くために、前記リブによって仕切られた隣接する空間を互いに連通する連通孔が形成されていることを特徴とする。さらに、本発明に係る健康座具は、前記ベースの裏面が、円弧状に形成され、前記健康座具が設置された面に対して前記健康座具全体が揺動可能に構成されていることを特徴とする。
【発明の効果】
【００１３】
本発明に係る健康座具によれば、入浴をしながら、手軽に腰又は下半身のストレッチングを行うことが可能となる。
【発明を実施するための最良の形態】
【００１４】
以下、添付図面を参照しながら本発明の実施の形態について詳細に説明する。まず、図１乃至図８を参照して、健康座具１０の構成を詳細に説明する。本実施の形態に係る健康座具１０は、シート１２と、ベース１４と、連結部材１６と、内側レール１８と、外側レール２０とから構成される。なお、詳細な使用態様は後述するが、本実施の形態にかかる健康座具１０は、入浴中に、浴槽の中に沈めて使用される。
【００１５】
図１乃至図４を参照して、シート１２の構成について詳細に説明する。図１は、本発明の実施の形態に係る健康座具１０の構成を示す平面側斜視図、図２は、本発明の実施の形態に係る健康座具１０の構成を示す底面側斜視図、図３は、図１における健康座具１０のＡ−Ａ線拡大断面図、図４は、図１における健康座具１０のＢ−Ｂ線拡大断面図である。
【００１６】
シート１２は、全体がほぼ直方体形状に構成され、使用者が着座し易いように内方に湾曲したシート１２上面の座面１２ａと、シート１２の側面を形成する座面１２ａの周縁部に接続する垂直な周壁１２ｂと、周壁１２ｂの短辺側に設けられた一対の把持部１２ｃとを有する。把持部１２ｃを除くシート１２のサイズは、幅300mm（長辺）、縦150mm（短辺）、高さ30mmである。把持部１２ｃは、周壁１２ｂから長辺方向に30mm突き出ている。
【００１７】
シート１２の座面１２ａの中央部には、直径45mmの開口１２ｄが形成されている。また、その内部には、後述する連結部材１６のフランジ１６ａを載せるための環状の載置面１２ｅと、載置面１２ｅに対し垂直な筒状の周面１２ｆとを有している。
【００１８】
シート１２の裏面（内面）側には、その内部にベース１４の上半分が収容される円筒状の挿入壁１２ｇ（内径66mm）が形成されている。また、同じくシート１２の内面側であって、挿入壁１２ｇの外周面と周壁１２ｂの内周面との間には、シート１２の剛性を高めるとともに、軽量化を目的として、リブ１２ｈが格子状に形成されている。リブ１２ｈの座面１２ａ側の端部には、リブ１２ｈと座面１２ａ（と周壁１２ｂや挿入壁１２ｇ）とによって仕切られた隣接する空間を互いに連通するための連通孔１２ｉが形成されている。よって、リブ１２ｈによって仕切られている各空間内の空気や水は、連通孔１２ｉを通って、隣接する空間に移動可能である。
【００１９】
また、シート１２の座面１２ａ裏面であって挿入壁１２ｇよりも内側部分には、後述する外側レール２０の摺動面２０ｂと当接する環状の外側摺動面１２ｋと、後述する内側レール１８の摺動面１８ｂと当接する、外側摺動面１２ｋのさらに内側に位置する環状の内側摺動面１２ｊとが形成されている。
【００２０】
シート１２の開口１２ｄの周囲の座面１２ａには、座面１２ａの外（上）側の空間と内（下）側の空間とを連通するための、丸孔１２ｌが円周方向に沿って４個形成されている。よって、これら丸孔１２ｌを介して、座面１２ａと挿入壁１２ｇと開口１２ｄの周面１２ｆとによって囲まれた健康座具１０内部の空間と、健康座具１０外部の空間との間で、水や空気が相互に移動可能である。
【００２１】
また、シート１２の座面１２ａと短辺側の周壁１２ｂの接続部分には、同様に座面１２ａ及び周壁１２ｂの外側の空間と内側の空間とを連通するための６個の角孔１２ｍが形成されている。よって、これら角孔１２ｍを介して、座面１２ａと周壁１２ｂとリブ１２ｈとによって囲まれた健康座具１０内部の空間と、健康座具１０外部の空間との間で、水や空気が相互に移動可能である。
【００２２】
次に、図１乃至図４に加えて図５を参照して、ベース１４の構成について詳細に説明する。図５は、本実施の形態に係る健康座具１０のベース１４を示す斜視図である。同図に示すように、ベース１４は、全体としてほぼ円盤状（直径130mm、高さ35mm）の形状を有している。また、ベース１４は、円弧状の下面１４ａ（図３及び図４参照）と、後述する連結部材１６の係止孔１６ｃと係合する４個の係止爪１４ｂと、を有している。また、ベース１４は、係止爪１４ｂの外側に、後述する内側レール１８が嵌合される環状溝が形成された内側挿入部１４ｃを有しており、さらに内側挿入部１４ｃの外側には、後述する外側レール２０が嵌合される環状溝が形成された外側挿入部１４ｄを有している。
【００２３】
図５に示すように、ベース１４の内側挿入部１４ｃと外側挿入部１４ｄの間の下面１４ａ上には、ベース１４の剛性を高めるとともに、軽量化を目的として、リブ１４ｅが形成されている。リブ１４ｅは、ベース１４の中心部を中心として、一定間隔の角度で、放射状に複数形成されている。よって、下面１４ａ、内側挿入部１４ｃ及び外側挿入部１４ｄによって仕切られた空間は、さらにリブ１４ｅによって複数の空間に仕切られている。
【００２４】
ベース１４の下面１４ａ中央部には、直径10mmの開口１４ｆが形成されている（図２乃至図４参照）。また、図２に示すように、開口１４ｆの周囲には、４個の長孔１４ｇが形成されている。さらに、長孔１４ｇの周囲には、複数の丸孔１４ｈが形成されている。これら開口１４ｆ、長孔１４ｇ及び丸孔１４ｈにより、ベース１４内部と外部との間で、空気や水が相互に移動可能である。
【００２５】
上述したように、ベース１４の下面１４ａは円弧形状を有している。よって、ベース１４の下面１４ａは、例えば浴槽の床に載置されて接触した状態で、前後左右に自在に揺動することが可能である。後述するように、本実施の形態に係る健康座具１０は、使用者が着座した状態で使用されるものである。使用者は、健康座具１０に着座して、簡単に、身体を前後左右に揺れ動かすことが出来るので、後述する腰の捻りに加えて、手軽に揺動によるストレッチングも行うことができる。
【００２６】
次に、図１乃至図４に加えて図６を参照して、連結部材１６の構成について詳細に説明する。図６は、本実施の形態に係る健康座具１０の連結部材１６を示す斜視図である。同図に示すように、連結部材１６は、直径30mm、高さ20mmの円筒の上に、直径40mm、厚さ2mmの円板が載せられた全体形状となっている。そして、連結部材１６は、シート１２の載置面１２ｅに載置されるフランジ１６ａと、フランジ１６ａに対し垂直な周壁１６ｂとを有する。
【００２７】
周壁１６ｂにはフランジ１６ａとの接合部に円周方向に４個の係止孔１６ｃが形成され、フランジ１６ａには、同一円周上に４個の孔１６ｄが形成されている。図３及び図４に示すように、連結部材１６のフランジ１６ａをシート１２の載置面１２ｅに載置した状態で、固体部材１６の係止孔１６ｃと、ベース１４の係止爪１４ｂと係合することにより、後述する内側レール１８及び外側レール２０を挟んで、シート１２とベース１４とが相対的に回動可能に一体に組み合わされる。
【００２８】
次に、さらに図７及び図８を参照しながら、内側レール１８及び外側レール２０の構成について詳細に説明する。図７は、本実施の形態に係る健康座具１０の内側レール１８を示す斜視図である。同図に示すように、内側レール１８は、内径の直径60mm、帯幅5mmの輪の形状をしている。その上面１８ａには円周方向に沿って凹部（厚み2mm）・凸部（厚み4mm）が交互に形成されている。内側レール１８は、上述したようにベース１４の内側挿入部１４ｃの環状溝に載置され、シート１２とベース１４が組合せされた状態では、その上面１８ａがシート１２の内側摺動面１２ｊと当接し、底面１８ｂがベース１４の内側挿入部１４ｃと当接して挟まれた状態となる。
【００２９】
図８は、外側レール２０を示す斜視図である。図８に示すように、外側レール２０は、内径の直径114mm、帯幅5mmの輪の形状をしている。その上面２０ａには円周方向に沿って凹部（厚み2mm）・凸部（厚み4mm）が交互に形成されている。外側レール２０は、上述したようにベース１４の外側挿入部１４ｄの環状溝に載置され、シート１２とベース１４が組み合わされた状態では、その上面２０ａがシート１２の外側摺動面１２ｋと当接し、底面２０ｂがベース１４の外側挿入部１４ｄと当接して挟まれた状態となる。
【００３０】
内側レール１８及び外側レール２０は、何れも摺動面１２ｊ，１２ｋ及び挿入部１４ｃ，１４ｄに対して相対的に回動可能に当接しているが、レール１８，２０の凹凸部を有する上面１８ａ，２０ａと摺動面１２ｊ，１２ｋとの接触面積が、下面１８ｂ，２０ｂと挿入部１４ｃ，１４ｄとの接触面積よりも小さい。よって、シート１２とベース１４とが相対的に回動する際には、摺動する際の摩擦のより小さい、レール１８，２０とシート１２とが、レール１８，２０とベース１４よりも、より多く相対的に回動する。
【００３１】
以上、本実施の形態に係る健康座具１０の構造について説明したが、健康座具１０を構成するシート１２、ベース１４、連結部材１６、内側レール１８及び外側レール２０の各部材は、それぞれプラスチック材料で一体成形される。本健康座具１０は、浴槽内等の水中での使用を考慮した物であるから、金属等の水に錆びやすい材料は用いていない。
【００３２】
具体的には、シート１２、ベース１４及び連結部材１６を形成するプラスチック材料としては、硬質で折り曲げに対しても強く、耐熱性が高い等の特性を持ち、水より若干比重が小さい材料であるポリプロピレン（比重≒0.91、耐熱性≒110℃）が使用されている。
【００３３】
また、内側レール１８及び外側レール２０を形成するプラスチック材料としては、耐熱性、耐寒性があり、繰り返し荷重に耐え、吸湿性が少なく、高温多湿化においても機械的強さが低下せず、摩擦係数が少なく、耐摩耗性にも優れた特性を持つポリアセタール（比重≒1.41）が使用されている。
【００３４】
そして、健康座具１０全体としての比重は、ほぼ水の比重に近い１となっている。なお、浴槽内の40℃程度のお湯の比重は、水の比重（＝1）よりも0.01程度小さくなるが、この程度の差であれば浮力にはほとんど影響がないため、本明細書においては、お湯の比重も水の比重と同じであるとして扱っている。また、本明細書に記載された水とは、お湯や、入浴剤が溶けているお湯等も含む、広い概念を意味している。
【００３５】
このように、健康座具１０の全体としての比重を水とほぼ同じにしているため、健康座具を水に沈めた状態で、後述するように健康座具１０内部の空気がほぼ全部抜けると、健康座具１０には浮力がほとんど作用せず、浮きも沈みもしなくなる。
【００３６】
なお、健康座具を構成する各部材の材料は、上記材料に限定されるものではなく、適宜変更可能である。例えば、シート１２、ベース１４、連結部材１６、内側レール１８及び外側レール２０として、ポリプロピレンと同様の性質を有する高密度ポリエチレン(HDPE、比重≒0.96）を用いることもできる。但し、健康座具１０全体としての比重がほぼ水の比重に等しくなるようにすることが好ましい。ここで、水の比重にほぼ等しい比重とは、０．９よりも大きく１．１よりも小さいことを意味している。
【００３７】
以上、本実施の形態にかかる健康座具１０の構成を説明したが、次に、健康座具１０の動作状態を詳細に説明する。図９は、本実施の形態に係る健康座具１０の動作状態を示す図である。図９に示すように、健康座具１０は、連結部材１６を中心に、シート１２をベース１４に対して円周方向（図９の矢印の方向）に回転できるように構成されている。また、逆方向にも回転できるように構成されている。
【００３８】
このように、この健康座具１０は、浴槽の底に沈めてから、使用者がシート１２上に座って使用するものであるから、シート１２が連結されたベース１４に対して相対的に回動することになる。この際、上述したように、シート１２の内側摺動面１２ｊと外側摺動面１２ｋとが、ベース１４に取り付けられた内側レール１８の上面１８ａ及び外側レール２０の上面２０ａ上を摺動しながら回動する。
【００３９】
なお、本実施の形態に係る健康座具１０は、シート１２がベース１４に対して、左右３６０°回動するように構成されているが、使用者が着座して腰を捻るという使用態様を鑑みれば、例えば左右に６０°程度回動する等、腰を捻る範囲内で回動できるような構成であれば良い。
【００４０】
次に、このように構成された健康座具１０の使用態様を、図１０及び図１１を参照して詳細に説明する。図１０は、本実施の形態に係る健康座具１０の使用態様を示す概略断面図であり、図１０（ａ）は、健康座具１０を浴槽３０の内部に浮かべた状態を示す図、図１０（ｂ）は、浴槽３０の内部の中程まで沈めた状態を示す図である。ここでは、健康座具１０内の空気が、外部へ出て行く様子を分かり易く説明するため、使用者が、シート１２の上面を上にして、健康座具１０を水平に保ったまま、浴槽内に沈めていく場合を例にとって説明する。
【００４１】
図１０（ａ）に示すように、使用者は、健康座具１０は、シート１２の座面１２ａが上になるように把持部１２ｃを持ち、浴槽３０の内部に入れる。次に、図１０（ｂ）に示すように、使用者は、健康座具１０を、浴槽３０の底面部３０ａに向けて沈めていく（図１０の矢印Ｓの方向）。健康座具１０が水中に沈められた当初は、シート１２内部のリブ１２ｈで仕切られた空間や、ベース１４内部のリブ１４ｅで仕切られた空間等に空気が溜まっているため、健康座具１０には、大きな浮力が作用する。したがって、使用者は、この浮力に逆らって健康座具１０を沈める必要がある。
【００４２】
しかし、本実施の形態に係る健康座具１０には、健康座具１０内に溜まる空気を外部へ抜くための空気孔としての、開口１２ｄ、連通孔１２ｉ、丸孔１２ｌ、角孔１２ｍ、開口１４ｆ、長孔１４ｇ、丸孔１４ｈ、孔１６ｄ等が設けられており、健康座具１０内に水が流入して何れかの空気孔から健康座具１０内の空気が外部へ抜けていく。
【００４３】
ここで、シート１２のリブ１２ｈで仕切られた空間に溜まった空気が外部へ抜けていく作用について詳細に説明する。リブ１２ｈで仕切られた空間に溜まっている空気は、シート１２のリブ１２ｈに形成された連通孔１２ｉを抜けて、最端部の空間へと移動する（図１０の矢印Ｎの方向）。これは、シート１２の座面１２ａの裏側が、シート１２中央部よりも両端部が高くなるように湾曲しているからである。最端部の空間、すなわち、シート１２の座面１２ａ、リブ１２ｈ及び周壁１２ｂによって囲まれた空間へ移動した空気は、角孔１２ｍからシート部材の外部へと抜けていく（図１０の矢印Ｎの方向）。
【００４４】
このようにして、内部の空気が抜けた健康座具１０にはほとんど浮力が作用しないため、使用者は、浴槽３０の底面部３０ａに接する位置（図示せず）まで容易に沈めることができる。また、健康座具に大きな浮力が作用する場合には、浴槽内に沈めた後、使用者が健康座具に座る際や、使用者が健康座具を使用して腰をストレッチングする際に、健康座具が浮き上がろうとして非常に使い難い場合もあったが、本実施の形態に係る健康座具であれば、内部の空気が抜けた後は、健康座具に対して働く浮力がほとんど無くなるため、このような問題も解消することができる。
【００４５】
また、シート１２の強度を保ったまま軽量化するために座面１２ａ裏側に設けられたリブ１２ｈによって仕切られた空間の空気を、リブ１２ｈに設けられた連通孔１２ｉによってシート１２の端部に集めてから、端部の角孔１２ｍを介して外部へ抜けさせるように構成しているため、リブ１２ｈに仕切られた空間毎に座面１２ａに空気を抜けさせるための穴を多数設ける必要がない。すなわち、シート１２の座面１２ａに形成する空気孔の数が少なくて済み、デザイン上もすっきりし、使用者の座り心地も格段に向上させることができる。
【００４６】
続いて、図１１は、本実施の形態に係る健康座具１０の使用状態を概略的に示す図である。図１１に示すように、使用者は、若干ひざを曲げた状態で足を伸ばし、健康座具１０のシート１２の座面１２ａに着座する。この姿勢で、膝を左右に振ると、健康座具１０のベース１４が浴槽底に固定されたままで、シート１２が円周方向に回動する。これにより、腰も左右に回転されるので、ストレッチング効果を得ることができる。
【００４７】
以上、詳細に説明した本実施の形態に係る健康座具１０によれば、使用者は、健康座具１０を浴槽３０のお湯の中に入れ、少しの力で押すことにより、簡単に浴槽底に向けて沈めることができる。
【００４８】
また、本実施の形態に係る健康座具１０には、健康座具１０を浴槽内に沈めた際に内部に溜まる空気を外部に抜くための空気孔が多数形成されており、内部の空気により大きな浮力が健康座具１０に作用するのを防止することができる。よって、使用者は、大きな浮力によって浮かび上がろうとする健康座具を無理矢理押さえて座ったり、着座して腰を捻る際に尻が少し浮いてしまったときに健康座具が浮上したりするといったことなく、安定して健康座具を使用することができる。
【００４９】
さらに、本実施の形態に係る健康座具１０は、その全体としての比重が、水の比重とほぼ同じになるように構成されている。よって、健康座具１０を浴槽３０内の所定の位置に沈めた場合、内部の空気がほとんど空気孔から抜けた後は、健康座具１０にかかる浮力はほぼゼロとなり、その沈めた場所の付近に停滞させておくことができる。よって、使用者は、より安定して健康座具１０を使用することができる。また、特に入浴剤等でお湯が濁っている場合に、浴槽底に沈んだままとなって、健康座具を取り出そうとしても見つかり難いといったことを防止することができる。
【００５０】
なお、本実施の形態においては、本発明の主旨を逸脱しない範囲内で種々の変形が可能であることは言うまでもない。例えば、本実施の形態では、健康座具を浴槽内に沈めて水中で使用する場合について説明したが、もちろん水中内での使用に限らず、使用する場所は適宜使用者が選択すれば良い。
【００５１】
また、本実施の形態においては、シート１２の裏面側に格子状のリブ１２ｈを形成したが、格子状に限らず、環状や放射線状のリブであっても良い。
【００５２】
また、本実施の形態においては、シート１２内部に溜まる空気を、座面１２ａ裏側の湾曲面を利用して、シート１２の両端部へと誘導するように構成したが、座面１２ａの厚さを場所によって変えることで、座面１２ａの中央部やその他の所定の場所に空気を移動させるように構成しても良い。そして、この所定の場所に移動した空気をさらにシート１２の外部に導くための空気孔を、この所定の場所においてシート１２に形成しておけば良い。
【００５３】
また、健康座具１０内に溜まる空気を外部へ抜くための空気孔としての、開口１２ｄ、連通孔１２ｉ、丸孔１２ｌ、角孔１２ｍ、開口１４ｆ、長孔１４ｇ、丸孔１４ｈ、孔１６ｄ等の位置、数、形状等は適宜変更可能である。例えば、本実施の形態では、シート１２のリブ１２ｈで仕切られた空間に溜まっている空気を、シート１２最端部の空間へと移動させてから外部に導くように構成しているが、各仕切られた空間に対応する座面１２ａの位置に、それぞれ空気孔を設け、各空間から直接外部へ空気を抜くように構成しても良い。但し、健康座具１０内に溜まる空気を効率的に外部へ抜くことができる位置、形状、個数の空気孔を設置する必要がある。
【００５４】
また、シート１２の把持部１２ｃには、空気を抜くための空気孔を設けていないが、把持部の上面等に空気孔を設けるように構成しても良い。また、使用者にとっては、健康座具１０を持ち運び難くなるが、把持部１２ｃ自体を設けない構成としても良い。
【００５５】
また、本実施の形態に係る健康座具１０は、シート１２と、ベース１４と、連結部材１６と、内側レール１８と、外側レール２０とから構成したが、このような構成に限定されるものではなく、浴槽底や床等の固定面に固定されるベースと、使用者が着座する座面を備え、ベースに対して相対的に回動可能に保持されたシートさえ有する健康座具であれば良い。但し、健康座具を水中に沈めた際に、ベース及びシート内に溜まる空気を外部に抜くための空気孔を、適宜ベース及びシートに形成する必要がある。さらに好ましくは、健康座具全体での比重が水とほぼ同じ比重となるように、健康座具を構成する部材の材料を適宜選択する必要がある。
【図面の簡単な説明】
【００５６】
【図１】図１は、本発明の実施の形態に係る健康座具の構成を示す平面側斜視図である。
【図２】図２は、本発明の実施の形態に係る健康座具の構成を示す底面側斜視図である。
【図３】図３は、図１における健康座具のＡ−Ａ線拡大断面図である。
【図４】図４は、図１における健康座具のＢ−Ｂ線拡大断面図である
【図５】図５は、本実施の形態に係る健康座具のベースを示す斜視図である。
【図６】図６は、本実施の形態に係る健康座具の固定部材を示す斜視図である。
【図７】図７は、本実施の形態に係る健康座具の内側レールを示す斜視図である。
【図８】図８は、本実施の形態に係る健康座具の外側レールを示す斜視図である。
【図９】図９は、本実施の形態に係る健康座具の動作状態を示す図である。
【図１０】図１０は、本実施の形態に係る健康座具の使用態様を示す概略断面図である。
【図１１】図１１は、本実施の形態に係る健康座具の使用状態を示す図である。
【符号の説明】
【００５７】
１０    健康座具
１２    シート
１４    ベース
１６    連結部材
１８    内側レール
２０    外側レール
３０    浴槽
【図１】
2006218176.tif 000003
【図２】
2006218176.tif 000004
【図３】
2006218176.tif 000005
【図４】
2006218176.tif 000006
【図５】
2006218176.tif 000007
【図６】
2006218176.tif 000008
【図７】
2006218176.tif 000009
【図８】
2006218176.tif 000010
【図９】
2006218176.tif 000011
【図１０】
2006218176.tif 000012
【図１１】
2006218176.tif 000013